(57)【要約】【課題】ハウジングの移動を防止して装着安定性を向上させ、音の感度を高めることが可能な、新規かつ改良されたヘッドホン装置を提供すること。【解決手段】スピーカユニット１１６を有するハウジング１１０と、ハウジングの一面の所定範囲で突起状に設けられ、スピーカユニットから出力される再生音が発せられる突起部１５０とを備え、頭部への装着時に、ハウジングの一面は、耳甲介腔の周囲の耳介の表側に接触し、突起部は耳甲介腔に挿入されることを特徴とする。【選択図】図４
2008227966.tif 000002
【特許請求の範囲】
【請求項１】
スピーカユニットを有するハウジングと、
前記ハウジングの一面の所定範囲で突起状に設けられ、前記スピーカユニットから出力される再生音が発せられる突起部と、
を備え、
頭部への装着時に、前記ハウジングの一面は、耳甲介腔の周囲の耳介の表側に接触し、前記突起部は前記耳甲介腔に挿入されることを特徴とする、ヘッドホン装置。
【請求項２】
前記突起部は、頭部への装着時に、前記ハウジングに対して、下側かつ前記頭部の後方側に設けられたことを特徴とする、請求項１記載のヘッドホン装置。
【請求項３】
前記突起部は、弾性材で形成されたことを特徴とする、請求項１記載のヘッドホン装置。
【請求項４】
前記突起部は、シリコン樹脂、ウレタン樹脂又は合成ゴムで形成されたことを特徴とする、請求項１記載のヘッドホン装置。
【請求項５】
前記突起部は、前記ハウジングと一体に成形されたことを特徴とする、請求項１記載のヘッドホン装置。
【請求項６】
前記突起部は、前記ハウジングと別体で形成されたことを特徴とする、請求項１記載のヘッドホン装置。
【請求項７】
前記ハウジングの一面の前記突起部を除いた部分に、前記再生音の出力を調節する音響抵抗素材が設けられたことを特徴とする、請求項１記載のヘッドホン装置。
【請求項８】
前記ハウジングは、耳介の表側に当接する耳載せ型であることを特徴とする、請求項１記載のヘッドホン装置。
【請求項９】
前記ハウジングは、耳介全体を覆う耳覆い型であることを特徴とする、請求項１記載のヘッドホン装置。
【請求項１０】
前記ハウジングに接続されたネックバンドを備え、
前記ハウジングは、耳介の表側に当接される略平板面を有し、
前記ネックバンドは、
一部切欠きのあるリング形状を有し、両端の内側で前記ハウジングが接続され、
前記ネックバンドと前記ハウジングの前記略平板面とは、略同一平面上に配置され、前記略同一平面に戻る方向に弾性力を有することを特徴とする、請求項１記載のヘッドホン装置。
【請求項１１】
前記ハウジングに接続されたヘッドバンドを備えることを特徴とする、請求項１記載のヘッドホン装置。
【発明の詳細な説明】
【技術分野】
【０００１】
本発明は、ヘッドホン装置に関する。
【背景技術】
【０００２】
ヘッドホン装置は、再生音を出力するスピーカユニットが内蔵されたハウジングと、ハウジングに接続されたバンドを備える。
【０００３】
ハウジングは、大きさや人の耳介１０との配置関係によって、耳覆い型、耳載せ型、イントラコンカ型、インサート型などに分類される。以下、図１２に示す耳介１０の全体図を参照して説明すると、耳覆い型は、耳介１０全体を覆う形状を有し、耳載せ型は、耳覆い型よりも小さく、耳介１０の表側に当接する形状を有している。また、イントラコンカ型は、耳介１０の耳甲介腔１２に挿入され、耳珠１４や対珠１６で保持される形状を有し、インサート型は、外耳道１８に挿入され、耳栓のように保持される形状を有している。
【０００４】
特に、耳覆い型や耳載せ型のヘッドホン装置は、ハウジングをバランスよく配置するため、ハウジングに接続された、例えば帯状のバンドでハウジングを保持している。バンドは、頭部との配置関係によって、ネックバンド、ヘッドバンドなどに分類される。ネックバンドは、バンドが後頭部に沿って配置され、ヘッドバンドは、バンドが頭頂部を通過するように配置される。
【０００５】
従来技術としては、例えば、特許文献１に、イントラコンカ型のハウジングを有するヘッドホン装置が開示されている。ハウジングには、中低音のこもりを解消する形状が形成されている。
【０００６】
【特許文献１】特開平６−５４３９１号公報
【発明の開示】
【発明が解決しようとする課題】
【０００７】
ところで、耳載せ型及び耳覆い型のハウジングの形状について、通常、再生音が発せられる側の面、即ち耳介１０に面する側の面は、平面形状である。そのため、耳載せ型や耳覆い型のヘッドホン装置では、ヘッドホン装置の頭部における装着位置を保持するため、ネックバンド又はヘッドバンドの内側方向への弾性力と、側頭部又は耳介１０との摩擦力を利用していた。
【０００８】
しかし、ヘッドホン装置を弾性力や摩擦力によって保持する方法では、装着した人の動作等でヘッドホン装置の装着位置がずれやすいという問題があった。
【０００９】
また、ハウジングの耳介１０側の面が平面形状であるため、ヘッドホン装置を装着した場合、ハウジングと耳甲介腔１２との距離が離れている。そのため、ハウジングから再生される音がハウジングと耳甲介腔１２との間から漏れてしまい、レスポンスが低下するという問願があった。
【００１０】
そこで、本発明は、上記問題に鑑みてなされたものであり、本発明の目的とするところは、ハウジングの移動を防止して装着安定性を向上させ、音の感度を高めることが可能な、新規かつ改良されたヘッドホン装置を提供することにある。
【課題を解決するための手段】
【００１１】
上記課題を解決するために、本発明のある観点によれば、スピーカユニットを有するハウジングと、ハウジングの一面の所定範囲で突起状に設けられ、スピーカユニットから出力される再生音が発せられる突起部とを備え、頭部への装着時に、ハウジングの一面は、耳甲介腔の周囲の耳介の表側に接触し、突起部は耳甲介腔に挿入されることを特徴とするヘッドホン装置が提供される。
【００１２】
かかる構成により、ハウジングの一面に突起部が設けられ、装着時に突起部が耳甲介腔に挿入されるので、ハウジングの移動が防止される。また、突起部から再生音が出力されるので、ハウジングから耳介の間からの音漏れが減少し、音の感度を高めることができる。
【００１３】
上記突起部は、頭部への装着時に、ハウジングに対して、下側かつ頭部の後方側に設けられてもよい。かかる構成により、突起部が耳甲介腔に挿入されたとき、ハウジングをバランス良く頭部に装着させることができる。
【００１４】
上記突起部は、弾性材で形成されてもよい。ハウジングの装着感が柔らかくなり、突起部の弾力性によってハウジングを耳甲介腔に固定させることができる。上記突起部は、シリコン樹脂、ウレタン樹脂又は合成ゴムで形成されてもよい。
【００１５】
上記突起部は、ハウジングと一体に成形されてもよい。かかる構成により、ハウジングにおける突起部の製造が迅速かつ容易になる。
【００１６】
上記突起部は、ハウジングと別体で形成されてもよい。かかる構成により、ハウジングと突起部を別に製造して、その後組み合わせることで、突起部が設けられたハウジングを形成することができる。
【００１７】
上記ハウジングの一面の突起部を除いた部分に、再生音の出力を調節する音響抵抗素材が設けられてもよい。かかる構成により、音響抵抗部材の通気抵抗を高めたり、低下させたりすることで、ハウジングなどの共振や製品特性、癖などを矯正して、再生音の音質を調節することができる。
【００１８】
上記ハウジングは、耳介の表側に当接する耳載せ型であってもよく、上記ハウジングは、耳介全体を覆う耳覆い型であってもよい。かかる構成により、耳載せ型又は耳覆い型のハウジングに接続されるネックバンドやヘッドバンドの弾性力によらず、ハウジングを耳介に安定的に装着することができる。
【００１９】
上記ハウジングに接続されたネックバンドを備え、ハウジングは、耳介の表側に当接される略平板面を有し、ネックバンドは、一部切欠きのあるリング形状を有し、両端の内側でハウジングが接続され、ネックバンドとハウジングの略平板面とは、略同一平面上に配置され、略同一平面に戻る方向に弾性力を有してもよい。かかる構成により、ネックバンド１２０は、非装着時に場所を取らないコンパクトな大きさを有し、ネックバンドの形状を簡略化させることができる。
【００２０】
上記ハウジングに接続されたヘッドバンドを備えてもよい。かかる構成により、突起部を有するハウジングは、ヘッドバンドと接続されて耳介に当接される。
【発明の効果】
【００２１】
本発明によれば、ハウジングの移動を防止して装着安定性を向上させ、音の感度を高めることができる。
【発明を実施するための最良の形態】
【００２２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２３】
（第１の実施形態）
まず、本発明の第１の実施形態に係るヘッドホン装置１００の構成について説明する。図１は、本実施形態のヘッドホン装置１００を示す平面図である。図２は、本実施形態のヘッドホン装置１００を示す斜視図である。
【００２４】
ヘッドホン装置１００は、図１及び図２に示すように、再生音を出力するスピーカユニット１１６（図３参照）が内蔵された一対のハウジング１１０と、ハウジング１１０に接続されたネックバンド１２０を有する。
【００２５】
まず、図１〜図６を参照して、本実施形態のハウジング１１０について説明する。図３は、本実施形態のハウジング１１０を示す平面図である。図４は、図３のＡ−Ａ線で切断した本実施形態のハウジング１１０を示す断面図である。図５は、本実施形態のヘッドホン装置１００を装着した状態を示す側面図である。図６は、本実施形態のヘッドホン装置１００を装着した状態を示す頭部の断面図である。図７は、図６の耳介周囲部分を拡大した部分拡大断面図である。
【００２６】
ハウジング１１０は、図３及び図４に示すように円形状の面を有する筐体であり、本体部１１２と、カバー部材１１４と、スピーカユニット１１６と、音響抵抗部材１６０とを有する。本実施形態のヘッドホン装置１００は、ハウジング１１０が耳介１０（図１２参照）の表側の面と当接して配置される耳載せ型である。ハウジング１１０は、直径約３０ｍｍ〜５０ｍｍの円形状を有する。
【００２７】
本体部１１２は、スピーカユニット１１６を収容し、カバー部材１１４によって被覆される。本体部１１２は、側面でネックバンド１２０と接続され、ハウジング１１０が、ネックバンド１２０によって頭部で安定的に配置される。本体部１１２は、ヘッドホン装置１００の装着時、耳介１０側と接触する面に対して反対側に位置する。
【００２８】
本体部１１２は、導線１４０が設けられる。導線１４０は、再生装置（図示せず。）と接続されており、スピーカユニット１１６に接続されて再生信号を入力する。なお、スピーカユニット１１６と再生装置は、有線で接続されるとしたが、本実施形態はかかる例に限定されず、スピーカユニット１１６は、無線で再生信号が入力されるとしてもよい。この場合、本体部１１２には、受信部（図示せず。）やバッテリー部（図示せず。）などが設けられてもよい。
【００２９】
カバー部材１１４は、本体部１１２を覆っており、突起部１５０が形成される。本実施形態では、カバー部材１１４と突起部１５０は、一体成形される。一体成形されることにより、カバー部材１１４の製造が迅速かつ容易になる。カバー部材１１４の突起部１５０を除いた部分は、例えば平滑かつ緩やかな曲面を有している。カバー部材１１４の突起部１５０を除いた部分は、図６及び図７に示すように、装着時、耳介１０のうち耳甲介腔１２の周囲部分と当接される。また、カバー部材１１４の突起部１５０を除いた部分には、開口穴１５４が形成されてもよい。開口穴１５４は、ハウジング１１０内部と外部とを連結する。
【００３０】
突起部１５０は、カバー部材１１４の一面の所定範囲で突起状に設けられる。突起部１５０は、図１〜図４に示すように、例えば、カバー部材１１４の一面から円柱形状に突設されて、先端が曲面形状である中空部材である。突起部１５０は、例えば、直径約５ｍｍ〜２０ｍｍで形成される。突起部１５０は、図５〜図７に示すように耳甲介腔１２（図１２参照）に挿入されて配置される。このように、耳覆い型のハウジング１１０に突起部１５０が形成されると、スピーカユニット１１６は、装着時、耳甲介腔１２の外に位置することになる。
【００３１】
突起部１５０は、図３及び図４に示すように、傾斜して突設されてもよく、この傾斜角度は任意に設定できる。傾斜角度を調節することで、図６及び図７に示すように、突起部１５０は、耳甲介腔１２に適切に挿入され、ハウジング１１０を頭部に固定させることができる。
【００３２】
突起部１５０は、弾性を有する弾性素材で形成されてもよく、弾性のない硬質な素材で形成されてもよい。弾性を有する場合には、ヘッドホン装置１００の装着感が柔らかくなり、弾力性によってハウジング１１０を耳甲介腔１２に固定させることができる。弾性素材とは、例えば、シリコン樹脂、ウレタン樹脂又は合成ゴムを含む素材である。突起部１５０の先端には、開口穴１５２が形成されてもよい。開口穴１５２からは、スピーカユニット１１６から出力された再生音が発せられる。
【００３３】
突起部１５０は、ハウジング１１０の一面に設けられるが、例えば、ヘッドホン装置１００を頭部に装着したときに、図５に示すように、ハウジング１１０に対して、下側かつ装着した人の頭部の後方側に設けられてもよい。このような位置に突起部１５０が配置されて、突起部１５０が耳甲介腔１２に挿入されることで、ハウジング１１０をバランス良く頭部に装着させることができる。
【００３４】
スピーカユニット１１６は、本体部１１２に収容されており、再生装置からの再生信号が入力されて、再生音を出力する。スピーカユニット１１６は、一般的なスピーカユニットを適用することができ、詳細な説明は省略する。
【００３５】
音響抵抗部材１６０は、例えば平板形状で形成され、例えば、不織布やプレスウレタン（フォーム）で形成される。音響抵抗部材１６０は、通気抵抗を高めたり、低下させたりすることで、本体部１１２、スピーカユニット１１６などの共振や製品特性、癖などを矯正して、再生音の音質を調節することができる。
【００３６】
音響抵抗部材１６０は、カバー部材１１４とスピーカユニット１１６の間に設けられる。音響抵抗部材１６０は、例えば、突起部１５０に該当する部分以外の領域に設けられるとしてもよいし、突起部１５０に該当する部分を含めてカバー部材１１４の内部側全面に設けられるとしてもよく、再生音の音質の調節などによってその面積を変えることができる。
【００３７】
次に、図１、図２、図５〜図７を参照して、本実施形態のネックバンド１２０について説明する。ネックバンド１２０は、ヘッドホン装置１００の装着時、後頭部を通過するように配置される。ネックバンド１２０は、一部切欠きのあるリング形状、又は略Ｃ字形状を有している。ネックバンド１２０は、両方の端部１２２ａ、１２２ｂ付近で弓状に内側に更に曲がった曲線部分を有しており、端部１２２ａ、１２２ｂの内側でハウジング１１０と接続される。
【００３８】
ネックバンド１２０は、図１に示すように、非装着時、例えば、頭部に装着されていない状態や、外力の入力がない状態でハウジング１１０の平板面と略同一平面内に配置される。ネックバンド１２０は、図２に示すように、ネックバンド１２０に接続されたハウジング１１０が互いに対向するよう変形された状態で、頭部に装着される。頭部に装着された状態を図５〜図７に示す。ネックバンド１２０は、図２に示すように、外力が加えられて撓むと、非装着時の同一平面に戻る方向に弾性力を有する。
【００３９】
ネックバンド１２０は、弾性素材、例えば、ＰＢＴ（Polybutyleneterephtalate：ポリブチレンテレフタレート）樹脂、ＰＰ（polypropylene：ポリプロピレン）などの合成樹脂で形成される。ネックバンド１２０は、例えば一体的に形成され、金型を用いて射出成形により製造される。
【００４０】
ネックバンド１２０の断面は、例えば、約円形状又は楕円形状であってもよいし、平板形状であってもよい。ネックバンド１２０の断面が円形状である場合、例えば直径約４ｍｍとすることができる。ネックバンド１２０の断面は、一端から他端まで一定の断面積を有するとしてもよいし、部分的に形状を変えて、断面積が異なる部分を有するとしてよい。ネックバンド１２０には、例えば再生信号を伝達するコードが内蔵される。なお、内蔵されるコードを配設するため、ネックバンド１２０の全長にわたって、溝（図示せず。）が形成されてもよい。
【００４１】
ネックバンド１２０は、上述したとおり一体成形されるが、大きく分けると耳介掛け領域１２４と、側頭部領域１２６と、後頭部領域１２８とに分けられる。以下、ネックバンド１２０の各構成要素について詳述する。
【００４２】
耳介掛け領域１２４は、ネックバンド１２０の両方の端部１２２ａ、１２２ｂ付近で内側に曲げられた部分であり、例えば、半径約４０ｍｍの弓形状を有する。耳介掛け領域１２４は、一対で形成される。耳介掛け領域１２４は、一端でハウジング１１０と接続され、他端で側頭部領域１２６に連続して接続されている。耳介掛け領域１２４は、ヘッドホン装置１００の装着時、図５に示すように、耳介１０の頭部側の面と側頭部との間を通過して、耳介１０に掛けられて配置される。
【００４３】
側頭部領域１２６は、ヘッドホン装置１００の両側に設けられた部分であり、例えば、約１００ｍｍの直線形状、又は緩やかな曲率を持った曲線形状を有する。側頭部領域１２６は、一対で形成される。側頭部領域１２６は、一端で耳介掛け領域１２４と連続して接続され、他端で後頭部領域１２８と連続して接続されている。側頭部領域１２６は、ヘッドホン装置１００の装着時、図５〜図７に示すように、側頭部に沿って、側頭部と近接するように配置される。
【００４４】
後頭部領域１２８は、ヘッドホン装置１００の一側に設けられた部分であり、例えば、半径約６０ｍｍの略半弧状の弓形状を有する。後頭部領域１２８は、耳介掛け領域１２４よりも大きな曲率を有する。後頭部領域１２８は、両側でそれぞれ側頭部領域１２６に連続して接続されている。後頭部領域１２８は、ヘッドホン装置１００の装着時、図５〜図７に示すように、後頭部に沿って、後頭部と近接するように配置される。
【００４５】
ヘッドホン装置１００は、更に連結部材１３０ａ、１３０ｂを有してもよい。連結部材１３０ａ、１３０ｂは、ネックバンド１２０の端部１２２ａ、１２２ｂにそれぞれ設けられる。連結部材１３０ａ、１３０ｂは、相互に連結される。
【００４６】
ヘッドホン装置１００は、非装着時、図１に示すような形状を有しており、ネックバンド１２０の端部１２２ａ、１２２ｂが相互に近接している。ネックバンド１２０の端部１２２ａ、１２２ｂが相互に接触する部分に、それぞれ連結部材１３０ａ、１３０ｂを設けることで、端部１２２ａ、１２２ｂを連結することができ、ネックバンド１２０とハウジング１１０の平板面とを確実に略同一平面内に納めることができる。かかる構成により、ネックバンド１２０は、非装着時に場所を取らないコンパクトな大きさを有し、ネックバンドの形状を簡略化させることができる。
【００４７】
次に、本実施形態に係るヘッドホン装置１００の動作について説明する。図８は、本実施形態のヘッドホン装置１００と従来のヘッドホン装置の周波数特性を示す説明図である。突起部１５０が設けられた本実施形態のヘッドホン装置１００を実線Ａで表し、突起部１５０がない従来のヘッドホン装置を破線Ｂで表している。
【００４８】
図８から分かるように、本実施形態のヘッドホン装置１００のほうが、レスポンスが高く、突起部１５０が耳甲介腔１２に挿入されているため、従来のヘッドホン装置に比べて、ハウジング１１０からの音の漏れが減少することが分かる。
【００４９】
（第２の実施形態）
次に、本発明の第２の実施形態に係るヘッドホン装置２００の構成について説明する。図９は、本実施形態のハウジング２１０を示す断面図である。本実施形態のヘッドホン装置２００は、第１の実施形態と同様に、ハウジング２１０が耳介１０（図１２参照）の表側の面と当接して配置される耳載せ型である。
【００５０】
本実施形態は、第１の実施形態に対して、ハウジングの構成のみが異なるため、ハウジング２１０について詳述する。
【００５１】
ハウジング２１０は、第１の実施形態のハウジング１１０と同様に円形状の面を有する筐体である。ハウジング２１０は、直径約３０ｍｍ〜５０ｍｍの円形状を有する。ハウジング２１０は、本体部１１２と、カバー部材２１４と、突起部材２５０と、スピーカユニット１１６と、音響抵抗部材１６０とを有する。ここで、突起部材２５０は、突起部の一例である。本体部１１２、スピーカユニット１１６及び音響抵抗部材１６０は、第１の実施形態と同一の構成を有するため、詳細な説明は省略する。
【００５２】
カバー部材２１４は、本体部１１２を覆っている。カバー部材２１４は、第１の実施形態のカバー部材１１４と異なり、カバー部材２１４と突起部材２５０とは、別体で形成される。別体で形成されると、ハウジングと突起部を別に製造して、その後組み合わせることで、突起部が設けられたハウジングを形成することができる。カバー部材２１４は、突起部材２５０が設けられる部分、即ちカバー部材２１４の一面の所定範囲は開口穴２５６が形成される。カバー部材２１４は、例えば平滑かつ緩やかな曲面を有している。カバー部材２１４は、装着時、耳介１０のうち耳甲介腔１２の周囲部分と当接される。また、カバー部材２１４には、開口穴２５４が形成されてもよい。開口穴２５４は、ハウジング２１０内部と外部とを連結する。
【００５３】
突起部材２５０は、カバー部材２１４の一面の所定範囲に設けられた開口穴２５６を貫通するように、ハウジング２１０に対して外側に突起して配置される。突起部材２５０のハウジング２１０側の端部は、ハウジング２１０内部に挿入され、突起部材２５０がカバー部材２１４から外側へ外れないように固定される。
【００５４】
突起部材２５０は、図９に示すように、例えば、円柱形状に突設されて、先端が曲面形状である中空部材である。突起部材２５０は、例えば、直径約５ｍｍ〜２０ｍｍで形成される。突起部材２５０は、第１の実施形態の突起部１５０と同様に耳甲介腔１２（図１２参照）に挿入されて配置される。
【００５５】
突起部材２５０は、図９に示すように、傾斜して突設されてもよく、この傾斜角度は任意に設定できる。傾斜角度を調節することで、突起部材２５０は、耳甲介腔１２に適切に挿入され、ハウジング１１０を頭部に固定させることができる。
【００５６】
突起部材２５０は、弾性を有する弾性素材で形成されてもよく、弾性のない硬質な素材で形成されてもよい。弾性を有する場合には、ヘッドホン装置２００の装着感が柔らかくなり、弾力性によってハウジング２１０を耳甲介腔１２に固定させることができる。突起部材２５０の先端には、開口穴２５２が形成されてもよい。開口穴２５２からは、スピーカユニット１１６から出力された再生音が発せられる。
【００５７】
（第３の実施形態）
次に、本発明の第３の実施形態に係るヘッドホン装置３００の構成について説明する。図１０は、本実施形態のハウジング３１０を示す断面図である。本実施形態のヘッドホン装置３００は、第１の実施形態と同様に、ハウジング３１０が耳介１０（図１２参照）の表側の面と当接して配置される耳載せ型である。
【００５８】
本実施形態は、第１の実施形態に対して、ハウジングの構成のみが異なるため、ハウジング３１０について詳述する。
【００５９】
ハウジング３１０は、第１の実施形態のハウジング１１０と同様に円形状の面を有する筐体である。ハウジング３１０は、直径約３０ｍｍ〜５０ｍｍの円形状を有する。ハウジング３１０は、本体部３１２と、突起部材３５０と、スピーカユニット１１６と、音響抵抗部材１６０とを有する。スピーカユニット１１６及び音響抵抗部材１６０は、第１の実施形態と同一の構成を有するため、詳細な説明は省略する。
【００６０】
本体部３１２は、第１の実施形態の本体部１１２とカバー部材１１４とが一体となった形状を有し、内部にスピーカユニット１１６を収容する。
【００６１】
本体部３１２は、突起部材３５０とは、別体で形成される。本体部３１２は、突起部材３５０が設けられる部分、即ち本体部３１２の一面の所定範囲は開口穴３５６が形成される。本体部３１２のうち耳介１０に面する側は、例えば平滑かつ緩やかな曲面を有している。本体部３１２は、装着時、耳介１０のうち耳甲介腔１２の周囲部分と当接される。また、本体部３１２には、開口穴３５４が形成されてもよい。開口穴３５４は、ハウジング２１０内部と外部とを連結する。
【００６２】
突起部材３５０は、本体部３１２の一面の所定範囲に設けられた開口穴３５６を貫通するように、ハウジング３１０に対して外側に突起して配置される。突起部材３５０のハウジング３１０側の端部は、図１０に示すように、ハウジング３１０内部に挿入され、突起部材３５０が本体部３１２から外側へ外れないように固定される。突起部材３５０の突起の形状や、材質は、上述した第２の実施形態の突起部材２５０と同一であるため、詳細な説明は省略する。突起部材３５０の先端には、開口穴３５２が形成されてもよい。開口穴３５２からは、スピーカユニット１１６から出力された再生音が発せられる。
【００６３】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００６４】
例えば、上記実施形態では、ネックバンド１２０は、非装着時ではハウジング１１０、２１０、３１０の平板面と略同一平面内に配置され、装着時は、頭部に沿った形状に変形されて装着されるとしたが、本発明はかかる例に限定されない。例えば、ネックバンド１２０は、非装着時も、装着時とほぼ同じ形を保って、頭部に沿った立体的な形状を有してもよい。
【００６５】
また、上記実施形態では、ネックバンド１２０がハウジング１１０、２１０、３１０と接続されるヘッドホン装置１００、２００、３００であるとしたが、本発明はかかる例に限定されない。例えば、図１１に示すように、装着時、頭頂部付近を通過するヘッドバンド４２０がハウジング４１０と接続されるヘッドホン装置４００であるとしてもよい。ハウジング４１０には、上述した突起部１５０、突起部材２５０、３５０とほぼ同一の構成を有する突起部４５０が形成される。
【００６６】
本変更例によれば、ヘッドホン装置のバンド部分がネックバンドである場合と同様に、突起部４５０が耳甲介腔１２に挿入されて、ハウジング４１０の移動を防止して装着安定性を向上させ、音の感度を高めることができる。
【００６７】
また、上記実施形態では、ハウジング１１０、２１０、３１０が耳載せ型である場合について説明したが、本発明はかかる例に限定されず、例えば、ハウジングは、耳覆い型であるとしても良い。このときも、突起部は、ハウジングの一面から突設して形成される。
【図面の簡単な説明】
【００６８】
【図１】本発明の第１の実施形態に係るヘッドホン装置を示す平面図である。
【図２】同実施形態のヘッドホン装置を示す斜視図である。
【図３】同実施形態のハウジングを示す平面図である。
【図４】図３のＡ−Ａ線で切断した本実施形態のハウジングを示す断面図である。
【図５】同実施形態のヘッドホン装置を装着した状態を示す側面図である。
【図６】同実施形態のヘッドホン装置を装着した状態を示す頭部の断面図である。
【図７】図６の耳介周囲部分を拡大した部分拡大断面図である。
【図８】同実施形態のヘッドホン装置と従来のヘッドホン装置の周波数特性を示す説明図である。
【図９】本発明の第２の実施形態のハウジングを示す断面図である。
【図１０】本発明の第３の実施形態のハウジングを示す断面図である。
【図１１】本発明の実施形態のヘッドホン装置の変更例を示す斜視図である。
【図１２】人の耳介を示す正面図である。
【符号の説明】
【００６９】
１００、２００、３００、４００      ヘッドホン装置
１１０、２１０、３１０、４１０      ハウジング
１１２、３１２      本体部
１１４、２１４      カバー部材
１１６      スピーカユニット
１２０      ネックバンド
１２２ａ、１２２ｂ      端部
１２４      耳介掛け領域
１２６      側頭部領域
１２８      後頭部領域
１３０ａ、１３０ｂ      連結部材
１４０      導線
１５０、４５０      突起部
１５２、１５４、２５２、２５４、２５６、３５２、３５４、３５６      開口穴
１６０      音響抵抗部材
２５０、３５０      突起部材
４２０      ヘッドバンド
【図１】
2008227966.tif 000003
【図２】
2008227966.tif 000004
【図３】
2008227966.tif 000005
【図４】
2008227966.tif 000006
【図５】
2008227966.tif 000007
【図６】
2008227966.tif 000008
【図７】
2008227966.tif 000009
【図８】
2008227966.tif 000010
【図９】
2008227966.tif 000011
【図１０】
2008227966.tif 000012
【図１１】
2008227966.tif 000013
【図１２】
2008227966.tif 000014